(57)【要約】      （修正有）【課題】１または２以上の照明の稼働情報を利用した処理を行うサーバ装置を提供する。【解決手段】照明に関する情報を格納し得る照明情報格納部と、１または２以上の各照明の稼働に関する稼働情報を、照明を識別する照明識別情報と共に受信する受信部と、受信部が受信した稼働情報を、稼働情報と共に受信した照明識別情報に対応付けて照明情報格納部に蓄積する蓄積部を有し、照明情報格納部に格納されている１または２以上の稼働情報を利用した処理を行う処理部と、を具備するサーバ装置により、１または２以上の照明の稼働情報を利用した処理を行う。【選択図】図２
2020098485.tif 000002
【特許請求の範囲】
【請求項１】
照明に関する情報を格納し得る照明情報格納部と、
１または２以上の各照明の稼働に関する稼働情報を、当該照明を識別する照明識別情報と共に受信する受信部と、
前記受信部が受信した稼働情報を、当該稼働情報と共に受信した照明識別情報に対応付けて前記照明情報格納部に蓄積する蓄積部と、
前記照明情報格納部に格納されている１または２以上の稼働情報を利用した処理を行う処理部とを具備するサーバ装置。
【請求項２】
前記受信部は、
照明と通信した端末装置から、当該照明の稼働に関する稼働情報を、当該照明を識別する照明識別情報と共に受信する請求項１記載のサーバ装置。
【請求項３】
前記処理部は、
前記稼働情報と前記照明識別情報を送信した端末装置のユーザに報償を与えるための報償処理を行う報償処理部を含む請求項２記載のサーバ装置。
【請求項４】
前記受信部は、
照明に関する情報を取得する情報取得装置から、当該照明の稼働に関する稼働情報を、当該照明を識別する照明識別情報と共に受信する請求項１記載のサーバ装置。
【請求項５】
前記情報取得装置に指示を送信する送信部をさらに具備し、
前記受信部は、
前記指示の送信に応じて、前記情報取得装置から稼働情報と照明識別情報を受信する請求項４記載のサーバ装置。
【請求項６】
前記処理部は、
前記１以上の稼働情報を統計処理した統計処理結果を取得する統計処理部を含み、
前記統計処理結果を出力する出力部をさらに具備する請求項１から請求項４いずれか一項に記載のサーバ装置。
【請求項７】
前記照明情報格納部には、
照明が設置されている場所の属性を示す場所属性情報が、前記照明識別情報に対応付けてさらに格納されており、
前記統計処理部は、
前記１以上の稼働情報を、場所属性情報が示す場所の属性ごとに統計処理した１以上の統計処理結果を取得する請求項６記載のサーバ装置。
【請求項８】
前記統計処理結果は、照明の経済状況に関する情報である請求項６または請求項７記載のサーバ装置。
【請求項９】
前記処理部は、
１以上の各稼働情報を用いて、１以上の各照明の電気代に関する電気代情報を取得する電気代取得部を含む、請求項１から請求項５いずれか一項に記載のサーバ装置。
【請求項１０】
前記処理部は、
１以上の各稼働情報を用いて、１以上の各照明が設置されている場所の見守りに関する見守り処理を行い、見守り情報を取得する見守り処理部を含む、請求項１から請求項５いずれか一項に記載のサーバ装置。
【請求項１１】
前記処理部は、
１以上の各稼働情報を用いて、１以上の各照明の故障の診断に関する診断処理を行い、故障診断情報を取得する故障診断部を含む、請求項１から請求項５いずれか一項に記載のサーバ装置。
【請求項１２】
照明との通信により当該照明の稼働に関する稼働情報を取得する端末処理部と、
前記稼働情報を、前記照明を識別する照明識別情報と共に、請求項２記載のサーバ装置に送信する端末送信部とを具備する端末装置。
【請求項１３】
照明に関する情報を取得する情報取得装置であって、
請求項５記載のサーバ装置から指示を受信する取得受信部と、
前記指示に応じて、前記照明から当該照明の稼働に関する稼働情報を取得する取得処理部と、
前記稼働情報を、前記照明を識別する照明識別情報と共に前記サーバ装置に送信する取得送信部とを具備する情報取得装置。
【請求項１４】
光を発する発光部と、
前記発光部の状態が変化した場合に、当該変化後の状態を示す情報を有する稼働情報を取得する照明処理部と、
前記稼働情報を、当該照明を識別する照明識別情報と共に送信する照明送信部とを具備する照明。
【請求項１５】
照明に関する情報を格納し得る照明情報格納部、受信部、蓄積部、および処理部によって実現される照明情報処理方法であって、
前記受信部が、１または２以上の各照明の稼働に関する稼働情報を、当該照明を識別する照明識別情報と共に受信する受信ステップと、
前記蓄積部が、前記受信部が受信した稼働情報を、当該稼働情報と共に受信した照明識別情報に対応付けて前記照明情報格納部に蓄積する蓄積ステップと、
前記処理部が、前記照明情報格納部に格納されている１または２以上の稼働情報を利用した処理を行う処理ステップとを含む照明情報処理方法。
【請求項１６】
コンピュータがアクセス可能な記録媒体は、
照明に関する情報を格納し得る照明情報格納部を具備し、
前記コンピュータを、
１または２以上の各照明の稼働に関する稼働情報を、当該照明を識別する照明識別情報と共に受信する受信部と、
前記受信部が受信した稼働情報を、当該稼働情報と共に受信した照明識別情報に対応付けて前記照明情報格納部に蓄積する蓄積部と、
前記照明情報格納部に格納されている１または２以上の稼働情報を利用した処理を行う処理部として機能させるためのプログラム。
【請求項１７】
コンピュータを、
照明との通信により当該照明の稼働に関する稼働情報を取得する端末処理部と、
前記稼働情報を、前記照明を識別する照明識別情報と共に、請求項２記載のサーバ装置に送信する端末送信部として機能させるためのプログラム。
【請求項１８】
照明に関する情報を取得する情報取得装置のコンピュータを、
請求項５記載のサーバ装置から指示を受信する取得受信部と、
前記指示に応じて、前記照明から当該照明の稼働に関する稼働情報を取得する取得処理部と、
前記稼働情報を、前記照明を識別する照明識別情報と共に前記サーバ装置に送信する取得送信部として機能させるためのプログラム。
【請求項１９】
光を発する発光部を有する照明のコンピュータを、
前記発光部の状態が変化した場合に、当該変化後の状態を示す情報を有する稼働情報を取得する照明処理部と、
前記稼働情報を、当該照明を識別する照明識別情報と共に送信する照明送信部として機能させるためのプログラム。
【発明の詳細な説明】
【技術分野】
【０００１】
本発明は、照明に関する情報を処理するサーバ装置等に関するものである。
【背景技術】
【０００２】
従来、携帯端末を用いて照明を制御する照明制御システムが存在した（例えば、特許文献１参照）。
【先行技術文献】
【特許文献】
【０００３】
【特許文献１】特開２０１８−９８１５５号公報
【発明の概要】
【発明が解決しようとする課題】
【０００４】
しかし、従来、１または２以上の照明の稼働に関する稼働情報を利用した処理を行うサーバ装置は存在しなかった。
【課題を解決するための手段】
【０００５】
本第一の発明のサーバ装置は、照明に関する情報を格納し得る照明情報格納部と、１または２以上の各照明の稼働に関する稼働情報を、照明を識別する照明識別情報と共に受信する受信部と、受信部が受信した稼働情報を、稼働情報と共に受信した照明識別情報に対応付けて照明情報格納部に蓄積する蓄積部と、照明情報格納部に格納されている１または２以上の稼働情報を利用した処理を行う処理部とを具備するサーバ装置である。
【０００６】
かかる構成により、１または２以上の照明の稼働情報を利用した処理を行うサーバ装置を提供できる。
【０００７】
また、本第二の発明のサーバ装置は、第一の発明に対して、受信部は、照明と通信した端末装置から、照明の稼働に関する稼働情報を、照明を識別する照明識別情報と共に受信するサーバ装置である。
【０００８】
かかる構成により、照明と通信した端末装置が送信する稼働情報を受信し、蓄積することにより、１または２以上の照明の稼働情報を利用した処理を行える。
【０００９】
また、本第三の発明のサーバ装置は、第二の発明に対して、処理部は、稼働情報と照明識別情報を送信した端末装置のユーザに報償を与えるための報償処理を行う報償処理部を含むサーバ装置である。
【００１０】
かかる構成により、照明の稼働情報を送信した端末装置のユーザに報償を与えることで、ユーザの協力が得られ易くなり、稼働情報の着実な蓄積が期待できる。従って、照明に関する情報を取得する情報取得装置を用いることなく、より低コストで、１または２以上の照明の稼働情報を利用した処理を行える。
【００１１】
また、本第四の発明のサーバ装置は、第一の発明に対して、受信部は、照明に関する情報を取得する情報取得装置から、照明の稼働に関する稼働情報を、照明を識別する照明識別情報と共に受信するサーバ装置である。
【００１２】
かかる構成により、情報取得装置から稼働情報を受信することで、より着実に、稼働情報が蓄積され、１または２以上の照明の稼働情報を利用した処理を行える。
【００１３】
また、本第五の発明のサーバ装置は、第四の発明に対して、情報取得装置に指示を送信する送信部をさらに具備し、受信部は、指示の送信に応じて、情報取得装置から稼働情報と照明識別情報を受信するサーバ装置である。
【００１４】
かかる構成により、処理に用いる稼働情報を所望のタイミングで受信できる。
【００１５】
また、本第六の発明のサーバ装置は、第一から第四いずれか１つの発明に対して、処理部は、１以上の稼働情報を統計処理した統計処理結果を取得する統計処理部を含み、統計処理結果を出力する出力部をさらに具備するサーバ装置である。
【００１６】
かかる構成により、１以上の照明の稼働情報の統計処理結果を取得し、出力するサーバ装置を提供できる。
【００１７】
また、本第七の発明のサーバ装置は、第六の発明に対して、照明情報格納部には、照明が設置されている場所の属性を示す場所属性情報が、照明識別情報に対応付けてさらに格納されており、統計処理部は、１以上の稼働情報を、場所属性情報が示す場所の属性ごとに統計処理した１以上の統計処理結果を取得するサーバ装置である。
【００１８】
かかる構成により、１以上の照明の稼働情報の、場所の属性ごとの統計処理果を取得し、出力できる。
【００１９】
また、本第八の発明のサーバ装置は、第六または第七の発明に対して、統計処理結果は、照明の経済状況に関する情報であるサーバ装置である。
【００２０】
かかる構成により、１以上の照明の、経済状況に関する情報を取得し、出力できる。
【００２１】
また、本第九の発明のサーバ装置は、第一から第五いずれか１つの発明に対して、処理部は、１以上の各稼働情報を用いて、１以上の各照明の電気代に関する電気代情報を取得する電気代取得部を含む、サーバ装置である。
【００２２】
かかる構成により、１以上の各照明の電気代に関する情報を取得し、出力できる。
【００２３】
また、本第十の発明のサーバ装置は、第一から第五いずれか１つの発明に対して、処理部は、１以上の各稼働情報を用いて、１以上の各照明が設置されている場所の見守りに関する見守り処理を行い、見守り情報を取得する見守り処理部を含む、サーバ装置である。
【００２４】
かかる構成により、１以上の各照明の、設置場所の見守りに関する情報を取得し、出力できる。
【００２５】
また、本第十一の発明のサーバ装置は、第一から第五いずれか１つの発明に対して、処理部は、１以上の各稼働情報を用いて、１以上の各照明の故障の診断に関する診断処理を行い、故障診断情報を取得する故障診断部を含む、サーバ装置である。
【００２６】
かかる構成により、１以上の各照明の故障診断に関する情報を取得し、出力できる。
【００２７】
また、第十二の発明の端末装置は、照明との通信により当該照明の稼働に関する稼働情報を取得する端末処理部と、稼働情報を、照明を識別する照明識別情報と共に、第二の発明のサーバ装置に送信する端末送信部とを具備する端末装置である。
【００２８】
かかる構成により、稼働情報と照明識別情報をサーバ装置に送信することで、サーバ装置は、１以上の照明の稼働情報を利用した処理を行える。
【００２９】
また、第十三の発明の情報取得装置は、照明に関する情報を取得する情報取得装置であって、第五の発明のサーバ装置から指示を受信する取得受信部と、指示に応じて、照明から当該照明の稼働に関する稼働情報を取得する取得処理部と、稼働情報を、照明を識別する照明識別情報と共にサーバ装置に送信する取得送信部とを具備する情報取得装置である。
【００３０】
かかる構成により、稼働情報と照明識別情報をサーバ装置に送信することで、サーバ装置は、１以上の照明の稼働情報を利用した処理を行える。
【００３１】
また、第十四の発明の照明は、光を発する発光部と、発光部の状態が変化した場合に、当該変化後の状態を示す情報を有する稼働情報を取得する照明処理部と、稼働情報を、当該照明を識別する照明識別情報と共に送信する照明送信部とを具備する照明である。
【００３２】
かかる構成により、稼働情報と照明識別情報を送信することで、サーバ装置は、照明から直に、もしくは端末装置または情報取得装置を介して、稼働情報と照明識別情報を受信し、１以上の照明の稼働情報を利用した処理を行える。
【発明の効果】
【００３３】
本発明によれば、１または２以上の照明の稼働情報を利用した処理を行うサーバ装置を提供できる。
【図面の簡単な説明】
【００３４】
【図１】実施の形態における情報システムのブロック図
【図２】同サーバ装置のブロック図
【図３】同サーバ装置の動作を説明するフローチャート
【図４】同照明情報のデータ構造図
【図５】同端末情報のデータ構造図
【図６】同報償情報を含む画面の例を示す図
【図７】同コンピュータシステムの外観図
【図８】同コンピュータシステムの内部構成の一例を示す図
【発明を実施するための形態】
【００３５】
以下、サーバ装置等の実施形態について図面を参照して説明する。なお、実施の形態において同じ符号を付した構成要素は同様の動作を行うので、再度の説明を省略する場合がある。
【００３６】
図１は、本実施の形態における情報システムのブロック図である。情報システムは、サーバ装置１、１または２以上の端末装置２、１または２以上の情報取得装置３、および１または２以上の照明４を備える。サーバ装置１は、例えば、ＬＡＮやインターネット等のネットワーク、無線または有線の通信回線などを介して、１以上の端末装置２および１以上の情報取得装置３の各々と通信可能に接続される。
【００３７】
１以上の各照明４は、例えば、Ｂｌｕｅｔｏｏｔｈ（登録商標）やＺｉｇｂｅｅ（登録商標）等の近距離無線により、１以上の端末装置２および１以上の情報取得装置３のうちの少なくとも１つと通信可能である。または、照明４は、無線ＬＡＮを介して、１以上の端末装置２および１以上の情報取得装置３のうちの少なくとも１つと通信可能でもよい。または、照明４は、ネットワークや通信回線等を介して、サーバ装置１と直に通信可能でもよい。
【００３８】
サーバ装置１は、例えば、情報システムを運営する企業や団体等の組織のサーバであるが、クラウドサーバやＡＳＰサーバでもよく、そのタイプや所在は問わない。
【００３９】
端末装置２は、例えば、情報システムを利用するユーザの携帯端末である。携帯端末とは、携帯可能な端末である。携帯端末は、例えば、スマートフォン、タブレット端末、携帯電話機等であるが、ノートＰＣでもよく、その種類は問わない。なお、照明４がリモコンで操作される場合は、リモコンを端末装置２の一種と考えることも可能であり、端末装置２のタイプは問わない。
【００４０】
情報取得装置３は、例えば、無線ＬＡＮアクセスポイントやルータ等であるが、サーバ装置１および照明４の両方と通信が行える機器であれば、そのタイプや所在は問わない。
【００４１】
照明４は、例えば、１または２以上の発光素子、およびＩＣチップ等を有するスマート照明である。発光素子は、例えば、ＬＥＤあるが、蛍光灯や白熱灯でもよく、その種類は問わない。ＩＣチップは、例えば、ＣＰＵ、メモリ、通信モジュール等を集積した回路であるが、その構成は問わない。通信モジュールは、例えば、近距離無線通信モジュールであるが、ネットワーク等を介した通信を行うモジュールでもよい。
【００４２】
なお、スマート照明は、一の照明器具とは限らず、例えば、１以上の発光素子を有する２以上の照明器具、および各照明器具と接続されたＩＣチップとで構成されてもよい。ＩＣチップは、例えば、２以上の照明器具のいずれか１つに設けられるが、照明器具とは別の部材（例えば、コントローラ等）に設けられてもよい。
【００４３】
なお、情報システムは、端末装置２を備えていなくてもよい。また、情報システムは、情報取得装置３を備えていなくてもよい。また、情報システムは、端末装置２も、情報取得装置３も備えていなくてもよい。すなわち、情報システムは、サーバ装置１と１または２以上の照明４で構成されてもよい。
【００４４】
図２は、サーバ装置１のブロック図である。サーバ装置１は、格納部１１、受信部１２、処理部１３、送信部１４、および出力部１５を備える。格納部１１は、照明情報格納部１１１、および端末情報格納部１１２を含む。処理部１３は、蓄積部１３１、報償処理部１３２、統計処理部１３３、電気代取得部１３４、見守り処理部１３５、および故障診断部１３６を含む。
【００４５】
端末装置２のブロック図は、図１に含まれている。端末装置２は、端末格納部２１、端末受付部２２、端末送信部２３、端末出力部２５、および端末処理部２６を備える。
【００４６】
情報取得装置３のブロック図は、図１に含まれている。情報取得装置３は、取得格納部３１、取得受信部３２、取得処理部３３、および取得送信部３４を備える。
【００４７】
照明４のブロック図は、図１に含まれている。照明４は、発光部４０、照明格納部４１、照明受信部４２、照明処理部４３、および照明送信部４４を備える。
【００４８】
サーバ装置１を構成する格納部１１は、各種の情報を格納し得る。各種の情報とは、例えば、後述する照明情報、後述する端末情報などである。なお、その他の情報については、適時説明する。
【００４９】
照明情報格納部１１１は、１または２以上の照明情報を格納し得る。照明情報とは、照明４に関する情報である。照明情報は、例えば、後述する照明識別情報、後述する稼働情報、後述する場所属性情報、後述する統計処理結果、後述する電気代情報、後述する見守り情報、後述する故障診断情報などであるが、照明４に関する情報であれば何でもよい。
【００５０】
照明情報格納部１１１には、照明識別情報に対応付けて、稼働情報が格納される。照明識別情報とは、照明４を識別する情報である。照明識別情報は、例えば、ＩＰアドレスやＭＡＣアドレス等であるが、ＩＤでもよく、照明４を識別可能な情報であれば何でもよい。
【００５１】
稼働情報とは、照明４の稼働に関する情報である。稼働情報は、例えば、照明４を構成する発光部４０の状態を示す状態情報である。状態情報は、例えば、“ＯＮ”や“ＯＦＦ”等のフラグである。フラグ“ＯＮ”は、発光部４０が発光している状態を示し、フラグ“ＯＦＦ”は、発光部４０が発光していない状態を示す。
【００５２】
または、状態情報は、発光部４０の明るさに関する情報でもよい。この種の状態情報は、例えば、“Ｘルーメン”等の光束、“Ｙカンデラ”等の輝度、“Ｚワット”等の電力などであるが、その表現形式は問わない。なお、発光部４０の明るさが可変である場合、状態情報は、連続値または離散値となる。また、発光部４０の明るさが固定である場合、状態情報は、例えば、“１０００ルーメン”等と“０”の二値となるが、かかる二値の状態情報は、“ＯＮ”，“ＯＦＦ”のフラグと同等であるといってもよい。
【００５３】
または、稼働情報は、状態情報と時刻情報との組でもよい。時刻情報とは、当該状態情報が取得または受信された時刻を示す情報である。この種の稼働情報は、例えば、“（ＯＮ，８時３２分３０秒”，“ＯＦＦ，１２時０１分５０秒”等であるが、その表現形式は問わない。
【００５４】
照明情報格納部１１１には、照明識別情報に対応付けて、さらに場所属性情報が格納されてもよい。場所属性情報とは、照明４が設置されている場所の属性を示す情報である。場所属性情報は、例えば、“家屋”や“工場”等であるが、その種類は問わない。
【００５５】
なお、場所属性情報は、階層化されていてもよい。階層化された場所属性情報とは、例えば、上位の場所属性情報“家屋”と、下位の場所属性情報“キッチン”，“居間”，および“独居老人宅”等である。または、階層化された場所属性情報は、上位の場所属性情報“工場”と、中位の場所属性情報“生産部門”および“管理部門”と、“生産部門”の下位の場所属性情報“第一製品の生産ライン（以下、第一ライン）”および“第二製品の生産ライン（以下、第二ライン）”等でもよい。
【００５６】
端末情報格納部１１２は、１または２以上の端末情報を格納し得る。端末情報とは、端末装置２に関する情報である。端末情報は、例えば、端末識別子、ユーザ識別子、報償情報などであるが、端末装置２に関する情報であれば何でもよい。端末識別子とは、端末装置２を識別する情報である。端末識別子は、例えば、ＩＰアドレス、ＭＡＣアドレス等であるが、ＩＤでもよい。または、端末識別子は、ユーザ識別子と兼用でもよく、端末装置２を識別し得る情報であれば、その種類は問わない。
【００５７】
ユーザ識別子とは、端末装置２のユーザを識別する情報である。ユーザ識別子は、例えば、携帯電話番号、メールアドレス等であるが、住所および氏名でもよいし、ＩＤでもよい。または、ユーザ識別子は、端末装置２の端末識別子（例えば、ＩＰアドレスやＭＡＣアドレス等）でもよく、端末装置２のユーザを識別し得る情報であれば、その種類は問わない。
【００５８】
報償情報とは、報償に関する情報である。報償とは、稼働情報を送信したことに対する対価である。報償は、稼働情報を送信した端末装置２のユーザに与えられる。報償情報は、例えば、加算ポイント数である。加算ポイント数とは、ユーザのポイント口座に加算されるポイントの数値である。
【００５９】
または、報償情報は、金額でもよい。金額は、例えば、チャージ金額である。チャージ金額とは、ユーザの電子マネーにチャージされる金額である。ただし、金額は、ユーザの口座に振り込まれるお金の金額でもよく、その種類は問わない。または、報償情報は、クーポン情報でもよい。クーポン情報とは、ユーザが利用可能なクーポンの情報である。クーポン情報は、例えば、クーポンのコード、クーポンの画像などであるが、その種類は問わない。ただし、報償情報は、ユーザの利益になる情報であれば何でもよい。
【００６０】
報償情報には、例えば、日付情報が対応付いている。日付情報とは、報償が与えられた日付を示す情報である。日付情報は、例えば、年月日であるが、時分秒まで有していてもよい。なお、日付情報が対応付くことは、報償情報が日付情報を有する場合も含んでもよい。
【００６１】
また、報償情報には、有効期限情報が対応付いていてもよい。有効期限情報とは、与えられた報償の有効期限を示す情報である。有効期限情報は、例えば、年月日であるが、時分秒まで有していてもよい。または、有効期限情報は、期間を示す情報でもよい。この種の有効期限情報は、例えば、日付情報の日付から“３ヶ月間”や“１年間”等であるが、期間の長さは問わない。
【００６２】
または、報償情報は、過去に与えられた１または２以上の報償のうち、有効期限を過ぎていない１または２以上の報償の合計でもよく、その表現形式は問わない。
【００６３】
受信部１２は、各種の情報を受信する。各種の情報とは、例えば、稼働情報、照明識別情報などである。
【００６４】
受信部１２は、例えば、１または２以上の各照明４の稼働に関する稼働情報を、当該照明４を識別する照明識別情報と共に受信する。稼働情報の送信元は、例えば、端末装置２または情報取得装置３であるが、照明４でもよい。なお、共に受信することは、例えば、同時に受信することでもよいし、相前後して受信することでもよい。つまり、稼働情報と照明識別情報の両方を受信できれば、各々の受信のタイミングは同じでなくてもよい。
【００６５】
受信部１２は、例えば、照明４と通信した端末装置２から、当該照明４の稼働に関する稼働情報を、当該照明４を識別する照明識別情報および当該端末装置２を識別する端末識別子と共に受信する。詳しくは、端末装置２は、照明４から稼働情報を照明識別情報と共に受信し、受信した稼働情報を照明識別情報および端末識別子と共にサーバ装置１に送信する。
【００６６】
または、受信部１２は、１以上の照明４に関する情報を取得する情報取得装置３から、当該１以上の各照明４の稼働に関する稼働情報を、当該照明４を識別する照明識別情報と共に受信してもよい。
【００６７】
詳しくは、例えば、後述する送信部１４が、情報取得装置３に指示を送信する。指示とは、情報取得装置３が取得した１以上の各稼働情報を、照明識別情報と共にサーバ装置１に送信するよう指示する情報である。指示を受信した情報取得装置３は、取得した１以上の各稼働情報を照明識別情報と共にサーバ装置１に送信する。受信部１２は、こうして情報取得装置３から送信される１以上の各稼働情報を照明識別情報と共に受信する。
【００６８】
なお、指示は、取得された稼働情報の送信の指示に加えて、稼働情報の取得の指示をも含んでもよい。かかる指示を受信した情報取得装置３は、１以上の各照明４の稼働情報を取得し、取得した稼働情報を照明識別情報と共にサーバ装置１に送信する。
【００６９】
ただし、受信部１２は、端末装置２または情報取得装置３のいずれも介すことなく、照明４から直に、当該照明４の稼働に関する稼働情報を、当該照明４を識別する照明識別情報と共に受信してもよい。詳しくは、照明４は、稼働情報を照明識別情報と共に送信する動作を、例えば、定期的に又は不定期に行っており、受信部１２は、照明４から送信される稼働情報を照明識別情報と共に受信してもよい。なお、共に送信することは、例えば、同時に送信することでもよいし、相前後して送信することでもよく、稼働情報と照明識別情報の両方を送信できれば、各々の送信のタイミングは同じでなくてもよい。
【００７０】
処理部１３は、各種の処理を行う。各種の処理とは、例えば、稼働情報等の照明情報を照明情報格納部１１１に蓄積する処理、および照明情報格納部１１１に格納されている１または２以上の稼働情報を利用した処理などである。前者の処理は、例えば、蓄積部１３１の処理である。
【００７１】
後者の処理は、例えば、報償処理部１３２、統計処理部１３３、電気代取得部１３４、見守り処理部１３５、および故障診断部１３６などの処理である。なお、一の処理に利用される１以上の稼働情報は、例えば、一の照明識別情報に対応付いた１以上の稼働情報（以下、稼働情報群と記す場合がある）でもよいし、１以上の照明識別情報にそれぞれ対応する１以上の稼働情報群でもよい。
【００７２】
蓄積部１３１は、受信部１２が受信した稼働情報を、当該稼働情報と共に受信した照明識別情報に対応付けて照明情報格納部１１１に蓄積する。
【００７３】
また、蓄積部１３１は、例えば、受信部１２が稼働情報を照明識別情報および端末識別子と共に受信したことに応じて、後述する報償処理部１３２が取得した報償情報を、当該端末識別子と対になるユーザ識別子に対応付けて、端末情報格納部１１２に蓄積してもよい。
【００７４】
報償処理部１３２は、報償処理を行い、報償情報を取得する。報償処理とは、稼働情報と照明識別情報を送信した端末装置２のユーザに報償を与えるための処理である。報償処理は、例えば、ユーザのポイント口座へのポイント加算、ユーザの電子マネーへのチャージ、ユーザの端末装置２へのクーポン送信などであるが、その種類は問わない。報償情報は、前述したように、例えば、加算ポイント数、チャージ金額、クーポン情報などであるが、その種類は問わない。
【００７５】
例えば、格納部１１に、報償基準が格納されている。報償基準とは、報償を与える基準を示す情報である。報償基準は、例えば、“１日当たり、ｍ回以上、稼働情報の取得および送信を行った場合に、ｎポイントを付与する”といった旨の情報である。報償処理部１３２は、例えば、１日ごとに、稼働情報の取得および送信を行った回数を計数し、その計数結果と報償基準とを用いて、加算ポイント数を示す報償情報を取得する。報償情報は、例えば、“＋５ポイント”等であるが、その表現形式は問わない。報償情報は、当該ポイントが加算された日付を有することは好適である。
【００７６】
または、報償基準は、例えば、“稼働情報の取得および送信を１回行うごとにｎ円分の電子マネーをチャージする”や、“稼働情報の取得および送信を行った回数が閾値に達したらクーポンを付与する”といった情報でもよく、その種類は問わない。
【００７７】
報償処理部１３２は、例えば、一のユーザ識別子に対して取得した１または２以上の報償情報を用いて、累計報償情報を取得してもよい。累計報償情報とは、一のユーザ識別子に対応する１または２以上の各報償情報が示す報償を累計した結果である。累計報償情報は、例えば、“累計１０ポイント”等であるが、その表現形式は問わない。
【００７８】
統計処理部１３３は、統計処理結果を取得する。統計処理結果とは、１以上の稼働情報を統計処理した結果である。統計処理結果は、例えば、１または２以上の照明４の経済状況に関する情報である、といってもよい。
【００７９】
統計処理結果は、例えば、稼働率情報、電力量情報、電気代情報などである。稼働率情報とは、照明４の稼働率に関する情報である。稼働率とは、単位時間に占める稼働時間の割合である。単位時間は、例えば、１日でも、１時間でもよく、その長短は問わない。稼働率情報は、例えば、“８時間／日”や“３０％”等であるが、その表現形式は問わない。
【００８０】
電力量情報とは、照明４が消費した電力量に関する情報である。電力量は、電力と使用時間との積である。なお、以下では、電力を示す情報を電力情報と記す場合がある。電力情報は、例えば、“αワット”等であるが、その表現形式は問わない。電力量情報は、例えば、電力情報が“αワット”、使用時間が“Δｔ時間”である場合、“α・Δｔワットアワー”等であるが、その表現形式は問わない。
【００８１】
電気代情報とは、照明４の電気代に関する情報である。電気代は、例えば、１日や１ヶ月や１年等の単位期間当たりの電気代であるが、累計の電気代でもよい。累計の電気代は、単位期間当たりの電気代と使用時間との積である。電気代は、例えば、電力と、１ワットアワー当たりの価格と、使用時間との積でもよい。なお、以下では、１ワットアワー当たりの価格を示す情報を電力価格情報と記す場合がある。電力価格情報は、例えば、“ｐ円／ワットアワー”等であるが、その表現形式は問わない。
【００８２】
統計処理部１３３は、例えば、照明情報格納部１１１に格納されている１以上の稼働情報を、それぞれに対応付いた場所属性情報が示す場所の属性ごとに統計処理し、１以上の統計処理結果を取得してもよい。
【００８３】
具体的には、統計処理部１３３は、例えば、属性情報“家屋”に対応付いた１以上の稼働情報を統計処理し、家屋に関する統計処理結果を取得する。また、統計処理部１３３は、例えば、上記属性情報“家屋”を上位として、その下位の場所属性情報“一般家屋”に対応付いた１以上の稼働情報を統計処理し、一般家屋に関する統計処理結果を取得してもよい。さらに、統計処理部１３３は、上位の属性情報“家屋”の下位の場所属性情報“独居老人家屋”に対応付いた１以上の稼働情報を統計処理し、独居老人家屋に関する統計処理結果を取得してもよい。
【００８４】
または、統計処理部１３３は、属性情報“工場”に対応付いた１以上の稼働情報を統計処理し、工場に関する統計処理結果を取得してもよい。また、統計処理部１３３は、上記属性情報“工場”を上位として、中位の場所属性情報“生産部門”に対応付いた１以上の稼働情報を統計処理し、生産部門に関する統計処理結果を取得する一方、もう１つの中位の場所属性情報“管理門”に対応付いた１以上の稼働情報を統計処理し、管理部門に関する統計処理結果を取得してもよい。
【００８５】
さらに、統計処理部１３３は、中位の属性情報“生産部門”の下位の場所属性情報“第一ライン”に対応付いた１以上の稼働情報を統計処理し、第一ラインに関する統計処理結果を取得する一方、もう１つの下位の場所属性情報“第二ライン”に対応付いた１以上の稼働情報を統計処理し、第二ラインに関する統計処理結果を取得してもよい。
【００８６】
例えば、格納部１１に第二タイミング情報が格納されており、統計処理部１３３は、内蔵時計等から取得される現在時刻が第二タイミング情報の示すタイミングである場合に、統計処理結果を取得する。第二タイミング情報とは、統計処理結果を取得するタイミングに関する情報である。第二タイミング情報は、例えば、１または２以上の取得時刻情報の集合でもよいし、取得周期情報でもよい。取得時刻情報とは、統計処理結果を取得する時刻を示す情報である。取得時刻情報は、例えば、時分秒で表現されるが、年月日等の日付をも有していてもよく、その表現形式は問わない。
【００８７】
取得周期情報とは、統計処理結果を取得する周期に関する情報である。取得周期情報は、例えば、“１日”や“１カ月”等であるが、“１時間”でもよく、周期の長短は問わない。または、第二タイミング情報は、例えば、“毎日１７時”や“毎月２５日１２時０分０秒”といった、時刻および周期を示す情報でもよく、その表現形式は問わない。
【００８８】
または、統計処理部１３３は、例えば、蓄積部１３１が稼働情報を蓄積したことに応じて統計処理結果を取得してもよく、その取得のタイミングやトリガは問わない。
【００８９】
電気代取得部１３４は、照明情報格納部１１１に格納されている１以上の稼働情報を用いて、１以上の照明４の電気代に関する電気代情報を取得する。取得される電気代情報は、例えば、１以上の各照明４の電気代の情報である。すなわち、電気代取得部１３４は、例えば、照明情報格納部１１１に、一の照明識別情報に対応付けて格納されている１以上の稼働情報を用いて、当該照明４の電気代に関する電気代情報を取得してもよい。
【００９０】
または、取得される電気代情報は、１以上の全照明４の電気代の情報でもよい。すなわち、電気代取得部１３４は、例えば、上記手順で１以上の各照明４の電気代を求め、求めた１以上の電気代を合計して、かかる電気代情報を取得してもよい。なお、前述した統計処理部１３３の処理対象となる１以上の稼働情報は、例えば、電気代取得部１３４が１以上の各照明４ごとに取得した１以上の電気代情報でもよく、それによって、１以上の照明４の電気代に関する統計処理結果が取得される。
【００９１】
見守り処理部１３５は、照明情報格納部１１１に格納されている１以上の各稼働情報を用いて、１以上の各照明４が設置されている場所の見守りに関する見守り処理を行い、見守り情報を取得する。見守り処理は、例えば、１または２以上の照明４が予め決められた条件を満たすほど稼働していない状態を検出することである。
【００９２】
見守り処理部１３５は、例えば、１または２以上の照明４のＯＦＦ状態が所定時間以上継続したか否かの判別を行い、ＯＦＦ状態が所定時間以上継続したことを以って、１以上の照明４が予め決められた条件を満たすほど稼働していない状態を検出してもよい。
【００９３】
詳しくは、例えば、稼働情報が状態情報と時刻情報との組で構成される場合、見守り処理部１３５は、１以上の各照明４ごとに、当該照明４に対応する１以上の稼働情報のうち直近の稼働情報と、ＭＰＵの内蔵時計やＮＴＰサーバ等から取得される現在時刻情報とを用いて、当該照明４のＯＦＦ状態が予め決められた時間以上継続しているか否かを判別する。なお、ＯＦＦ状態の継続時間は、例えば、現在時刻情報から、直近の稼働情報を構成する時刻情報を減算することに得られる。
【００９４】
または、見守り処理部１３５は、例えば、１または２以上の照明４が予め決められた時間帯に稼働しているか否かの判別を行い、１以上の照明４が予め決められた時間帯に稼働していないことを以って、１以上の照明４が予め決められた条件を満たすほど稼働していない状態を検出してもよい。予め決められた時間帯は、その時間帯に１以上の照明４が稼働していることが通常であるような時間帯である。この種の時間帯は、例えば、午後７時から午後８時といった夕食の時間帯、午後８時から午後１０時といった団らんの時間帯等であるが、その種類や数値は問わない。
【００９５】
そして、１以上の照明４が予め決められた条件を満たすほど稼働していない場合に、見守り処理部１３５は、見守り情報を取得する。取得される見守り情報は、例えば、１以上の照明４のＯＦＦ状態が継続していることや、１以上の照明４が予め決められた時間帯に稼働していないことについて、注意を喚起する情報である。注意を喚起する情報は、例えば、「照明が２４時間以上点灯していません。」や「夕食時に明かりが点きませんでした」等の文字列であるが、警報音等の音や警告灯等の光でもよく、その表現形式は問わない。
【００９６】
故障診断部１３６は、照明情報格納部１１１に格納されている１以上の各稼働情報を用いて、１以上の各照明４の故障の診断に関する診断処理を行い、故障診断情報を取得する。診断処理は、例えば、端末装置２から照明４へのＯＮまたはＯＦＦの命令に応じて、ＯＦＦ状態からＯＮ状態またはＯＮ状態からＯＦＦ状態への状態変化が生じたか否かの判別である。
【００９７】
詳しくは、故障診断部１３６は、１または２以上の各照明４ごとに、例えば、端末装置２からのＯＮまたはＯＦＦの命令に応じて、新たな稼働情報が照明情報格納部１１１に蓄積されたか否かを判別する。なお、ＯＮまたはＯＦＦの命令に応じて、新たな稼働情報が蓄積された場合は、状態変化が生じたと見なされ、新たな稼働情報が蓄積されない場合は、状態変化が生じていないと見なされる。
【００９８】
そして、故障診断部１３６は、ＯＮまたはＯＦＦの命令に応じて新たな稼働情報が蓄積されない場合に、故障診断情報を取得する。取得される故障診断情報は、例えば、当該照明４が故障した旨の情報であるが、当該照明４の点検を促す情報でもよい。
【００９９】
なお、ＯＮまたはＯＦＦの命令に応じて新たな稼働情報が蓄積された場合には、故障診断部１３６は、例えば、当該照明４が故障していない旨の故障診断情報を取得してもよいし、何ら故障診断情報を取得しなくてもよい。
【０１００】
送信部１４は、各種の情報を送信する。各種の情報とは、例えば、前述した指示、前述した注意喚起情報などである。なお、情報によって、送信先が異なっていてもよいし、送信タイミングが異なっていても構わない。
【０１０１】
送信部１４は、例えば、情報取得装置３に指示を送信する。詳しくは、例えば、格納部１１に、第一タイミング情報が格納されている。第一タイミング情報とは、指示を送信するタイミングに関する情報である。第一タイミング情報は、例えば、１または２以上の送信時刻情報の集合でもよいし、送信周期情報でもよい。送信時刻情報とは、指示を送信する時刻を示す情報である。送信時刻情報は、例えば、時分秒で表現されるが、年月日等の日付をも有していてもよく、その表現形式は問わない。
【０１０２】
送信周期情報とは、指示を送信する周期に関する情報である。送信周期情報は、例えば、“１分ごと”や“１０分ごと”や“１時間ごと”等であるが、周期の長短は問わない。または、第一タイミング情報は、例えば、“毎日９時”や“毎時０分０秒”といった、時刻および周期を示す情報でもよく、その表現形式は問わない。
【０１０３】
送信部１４は、例えば、内蔵時計等から取得される現在時刻が第一タイミング情報の示すタイミングである場合に、情報取得装置３に指示を送信する。
【０１０４】
または、例えば、後述する端末装置２を構成する端末受付部２２が、タッチパネル等の入力デバイスを介して指示を受け付け、端末送信部２３が、受け付けられた指示をサーバ装置１に送信してもよい。その場合、サーバ装置１の受信部１２が上記指示を受信し、送信部１４は、受信された指示を情報取得装置３に送信する。このように、送信部１４が指示を送信するタイミングやトリガは問わない。
【０１０５】
また、送信部１４は、例えば、見守り処理部１３５が取得した注意喚起情報を、予め登録されている宛先に送信してもよい。注意喚起情報の宛先は、例えば、見守り者のメールアドレスや携帯電話番号等であるが、その種類は問わない。見守り者とは、独居老人等の見守り対象を見守る者である。見守り者は、例えば、独居老人の子供や親戚等であるが、誰でもよい。例えば、格納部１１に、注意喚起情報の宛先を示す宛先情報が格納されており、送信部１４は、見守り処理部１３５が注意喚起情報を取得した場合に、その取得された注意喚起情報を、当該宛先情報が示す宛先に送信する。
【０１０６】
また、送信部１４は、故障診断部１３６が取得した故障診断情報を、予め登録されている宛先に送信してもよい。故障診断情報の宛先は、例えば、照明４の管理や保守を行う管理者のメールアドレス等であるが、その種類は問わない。例えば、格納部１１に、故障診断情報の宛先を示す宛先情報が格納されており、送信部１４は、故障診断部１３６が故障診断情報を取得した場合に、その取得された故障診断情報を、当該宛先情報が示す宛先に送信する。
【０１０７】
なお、送信部１４は、例えば、受信部１２が稼働情報を端末識別子等と共に受信したことに応じて報償処理部１３２が取得した報償情報を、当該端末識別子で識別される端末装置２に送信してもよい。
【０１０８】
出力部１５は、各種の情報を出力する。各種の情報とは、例えば、報償情報、累計報償情報、統計処理結果、電気代情報、見守り情報、故障診断情報などである。出力とは、例えば、ディスプレイへの表示であるが、スピーカからの音出力、プリンタでのプリントアウト、記録媒体への蓄積、他のプログラムへの引き渡し、他の装置への送信などでもよく、その態様は問わない。他の装置とは、例えば、端末装置２であるが、図示しない外部の装置でもよい。なお、かかる事項は、後述する端末出力部２５にも当てはまる。
【０１０９】
出力部１５は、例えば、報償処理部１３２が取得した報償情報を出力する。また、出力部１５は、報償処理部１３２が取得した累計報償情報をも出力してもよい。さらに、出力部１５は、例えば、統計処理部１３３が取得した統計処理結果、電気代取得部１３４が取得した電気代情報、見守り処理部１３５が取得した見守り情報、および故障診断部１３６が取得した故障診断情報なども出力する。なお、情報によって、その出力先が異なっていてもよい。
【０１１０】
出力部１５は、例えば、報償処理部１３２が、あるユーザへの報償情報を取得したことに応じて、その取得された報償情報を、当該ユーザのユーザ識別子に対応付けて格納部１１に蓄積する。また、出力部１５は、取得された報償情報を、当該ユーザの端末装置２に送信してもよい。これにより、当該端末装置２のディスプレイに、当該ユーザの報償情報が表示される。
【０１１１】
または、上記のような報償情報の蓄積に応じて、出力部１５は、格納部１１に、当該ユーザのユーザ識別子に対応付けて格納されている１または２以上の報償情報を、当該ユーザの端末装置２に送信してもよい。これにより、当該端末装置２のディスプレイに、当該ユーザの１以上の報償情報が表示される。なお、当該ユーザの１以上の報償情報に加えて、当該ユーザの累計報償情報も当該端末装置２に送信され、当該端末装置２のディスプレイに表示されてもよい。
【０１１２】
なお、統計処理結果、電気代情報、見守り情報、故障診断情報なども、上記と同様に出力される。
【０１１３】
端末装置２を構成する端末格納部２１には、例えば、端末識別子、ユーザ識別子などが格納される。
【０１１４】
端末受付部２２は、例えば、照明４への命令を受け付ける。命令は、例えば、照明４に対するＯＮまたはＯＦＦの命令である。なお、命令は、明るさを変更する命令でもよい。この種の命令は、通常、変更後の明るさに関する情報を含む。また、端末受付部２２は、前述した指示をも受け付けてもよい。
【０１１５】
端末送信部２３は、例えば、当該端末装置２と通信した照明４の稼働情報を、当該照明４を識別する照明識別情報と共に、サーバ装置１に送信する。
【０１１６】
端末送信部２３は、例えば、端末受付部２２が受け付けたＯＮまたはＯＦＦの命令を当該照明４に送信する。詳しくは、例えば、後述する端末処理部２６が、端末受付部２２が当該照明４に対するＯＮまたはＯＦＦの命令を受け付けたと判別した場合に、その受け付けられた命令を当該照明４に送信する。
【０１１７】
また、端末送信部２３は、例えば、端末受付部２２がＯＮまたはＯＦＦの命令を受け付けたことに応じて、“ＯＮ”または“ＯＦＦ”のフラグと時刻情報とを有する稼働情報を、当該照明４を識別する照明識別情報と共にサーバ装置１に送信する。なお、送信される稼働情報は、例えば、後述する端末処理部２６が生成した稼働情報でもよいし、後述する端末受信部２４が照明４から受信した情報でもよい。
【０１１８】
さらに、端末送信部２３は、例えば、端末受付部２２が受け付けた指示をサーバ装置１に送信してもよい。
【０１１９】
端末受信部２４は、例えば、端末送信部２３が稼働情報等をサーバ装置１に送信したことに応じて、サーバ装置１から報償情報を受信する。また、端末受信部２４は、例えば、照明４から稼働情報を受信してもよい。
【０１２０】
端末出力部２５は、例えば、端末受信部２４が受信した報償情報を出力する。
【０１２１】
端末処理部２６は、例えば、照明４との通信により、当該照明４の稼働に関する稼働情報を取得する。
【０１２２】
照明４との通信とは、例えば、照明４への命令の送信である。具体的には、端末処理部２６は、例えば、端末受付部２２が当該照明４に対するＯＮまたはＯＦＦの命令を受け付けたか否かの判別を行う。また、端末処理部２６は、端末受付部２２がＯＮまたはＯＦＦの命令を受け付けたことに応じて、“ＯＮ”または“ＯＦＦ”のフラグと時刻情報とを有する稼働情報を生成してもよい。
【０１２３】
または、照明４との通信とは、照明４から送信される稼働情報の受信でもよい。すなわち、端末処理部２６は、例えば、照明４から定期的または不定期に送信される稼働情報を受信してもよい。
【０１２４】
情報取得装置３を構成する取得格納部３１には、例えば、後述する取得受信部３２が受信した１または２以上の稼働情報が、照明識別情報に対応付けて格納され得る。
【０１２５】
取得受信部３２は、例えば、サーバ装置１から指示を受信する。
【０１２６】
また、取得受信部３２は、例えば、１以上の各照明４から照明識別情報と共に送信される稼働情報を受信する。詳しくは、取得受信部３２は、例えば、１以上の各照明４から、消灯状態から発光状態への状態変化、または発光状態から消灯状態への状態変化に応じて送信される稼働情報等を受信する。受信される稼働情報は、例えば、“ＯＮ”または“ＯＦＦ”のフラグと、時刻情報とを有する。時刻情報は、例えば、当該稼働情報の送信時刻を示すが、状態変化が生じた時刻を示していてもよい。
【０１２７】
取得処理部３３は、例えば、取得受信部３２がサーバ装置１から指示を受信したか否かの判別を行う。そして、取得受信部３２は、取得受信部３２がサーバ装置１から指示を受信した場合に、その指示に応じて、照明４から当該照明４の稼働に関する稼働情報を取得する。
【０１２８】
なお、取得処理部３３は、例えば、取得受信部３２がサーバ装置１から指示を受信した場合に、稼働情報と照明識別情報の送信を１以上の各照明４に要求し、要求に応じて１以上の各照明４から送信される稼働情報と照明識別情報を受信してもよい。
【０１２９】
取得送信部３４は、例えば、取得処理部３３が照明４から取得した稼働情報を、当該照明４を識別する照明識別情報と共にサーバ装置１に送信する。
【０１３０】
取得送信部３４は、例えば、取得受信部３２がサーバ装置１から指示を受信した場合に、１以上の各照明４から取得された稼働情報を照明識別情報と共にサーバ装置１に送信する。なお、１以上の各照明４から取得された稼働情報とは、例えば、取得格納部３１に格納されている１以上の各稼働情報であるが、取得処理部３３の要求に応じて取得受信部３２が１以上の各照明４から受信した稼働情報でもよい。
【０１３１】
照明４を構成する発光部４０は、例えば、ＬＥＤ等の発光素子、およびその駆動回路等を含み、端末装置２からのＯＮの命令に応じて発光し、ＯＦＦの命令に応じて消灯する。
【０１３２】
照明格納部４１には、例えば、当該照明４を識別する照明識別情報が格納される。また、照明格納部４１には、例えば、発光部２０の状態を示す情報（以下、状態情報）が格納されてもよい。状態情報は、例えば、発光状態または消灯状態を示す情報（例えば、“ＯＮ”または“ＯＦＦ”を示すフラグ等）であるが、発光部２０の明るさを示す情報でもよく、その種類は問わない。
【０１３３】
照明受信部４２は、例えば、端末装置２からＯＮの命令またはＯＦＦの命令を受信する。または、照明受信部４２は、図示しないリモコンから同様の命令を受信してもよい。なお、照明受信部４２は、例えば、情報取得装置３から、前述したような稼働情報等の送信の要求を受信してもよい。
【０１３４】
照明処理部４３は、例えば、発光部２０の状態が変化したか否かを判別し、発光部２０の状態が変化した場合に、当該変化後の状態を示す情報を有する稼働情報を取得する。なお、状態の変化は、例えば、消灯状態と発光状態との間の変化であるが、明るさの変化でもよい。また、状態が変化したか否かは、例えば、照明格納部４１に格納されている状態情報により判別できる。
【０１３５】
また、照明処理部４３は、例えば、照明受信部４２が各種の命令や要求を受信したか否かの判別なども行う。
【０１３６】
また、照明処理部４３は、通常、当該照明４の稼働情報の取得も行う。なお、稼働情報については、前述したので繰り返さない。照明処理部４３は、例えば、発光部４０の状態が、消灯状態から発光状態に変化したこと、または発光状態から消灯状態に変化したことに応じて、稼働情報を取得する。なお、かかる状態変化は、通常、ＯＮまたはＯＦＦの命令に応じた変化であるが、例えば、タイマ等による自動的な変化でもよい。または、照明処理部４３は、発光部２０の明るさが変化した場合に、稼働情報を取得してもよい。
【０１３７】
なお、照明処理部４３は、例えば、照明受信部４２が情報取得装置３から要求を受信したことに応じて稼働情報を取得してもよく、稼働情報の取得のタイミングやトリガは問わない。
【０１３８】
照明送信部４４は、当該照明４の稼働情報を照明識別情報と共に送信する。照明送信部４４は、例えば、照明処理部４３が取得した稼働情報を、照明格納部４１に格納されている照明識別情報と共に送信する。
【０１３９】
照明送信部４４は、稼働情報等の情報を、例えば、一の情報取得装置３に送信するが、その送信先を特定せずに放送してもよい。
【０１４０】
また、照明送信部４４は、例えば、情報取得装置３からの要求に応じて照明処理部４３が取得した稼働情報を、当該情報取得装置３に送信してもよい。
【０１４１】
格納部１１、照明情報格納部１１１、端末情報格納部１１２、端末格納部２１、取得格納部３１、および照明格納部４１は、例えば、ハードディスクやフラッシュメモリといった不揮発性の記録媒体が好適であるが、ＲＡＭなど揮発性の記録媒体でも実現可能である。
【０１４２】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。
【０１４３】
受信部１２、取得受信部３２、および照明受信部４２は、通常、有線または無線の通信手段（例えば、ＮＩＣ(Network interface controller)やモデム等の通信モジュール）で実現されるが、放送を受信する手段（例えば、放送受信モジュール）で実現されてもよい。
【０１４４】
処理部１３、蓄積部１３１、報償処理部１３２、統計処理部１３３、電気代取得部１３４、見守り処理部１３５、故障診断部１３６、端末処理部２６、取得処理部３３、および照明処理部４３は、通常、ＭＰＵやメモリ等から実現され得る。処理部１３等の処理手順は、通常、ソフトウェアで実現され、当該ソフトウェアはＲＯＭ等の記録媒体に記録されている。ただし、処理手順は、ハードウェア（専用回路）で実現してもよい。
【０１４５】
送信部１４、端末送信部２３、および照明送信部４４は、通常、有線または無線の通信手段で実現されるが、放送手段（例えば、放送モジュール）で実現されてもよい。
【０１４６】
出力部１５、および端末出力部２５は、ディスプレイやスピーカ等の出力デバイスを含むと考えても、含まないと考えてもよい。出力部１５等は、出力デバイスのドライバーソフトによって、または出力デバイスとそのドライバーソフトとで実現され得る。
【０１４７】
端末受付部２２は、入力デバイスを含むと考えても、含まないと考えてもよい。端末受付部２２は、入力デバイスのドライバーソフトによって、または入力デバイスとそのドライバーソフトとで実現され得る。
を備える。
【０１４８】
発光部４０は、ＬＥＤ等の発光素子を含むと考えても、含まないと考えてもよい。発光部４０は、例えば、発光素子とその駆動回路とで実現される。
【０１４９】
次に、情報システムの動作について図３のフローチャートを用いて説明する。図３は、サーバ装置１の動作を説明するフローチャートである。
【０１５０】
（ステップＳ３０１）処理部１３は、受信部１２が稼働情報を照明識別情報および端末識別子と共に受信したか否かを判別する。受信部１２が稼働情報を照明識別情報および端末識別子と共に受信した場合はステップＳ３０２に進み、受信していない場合はステップＳ３０５に進む。
【０１５１】
（ステップＳ３０２）蓄積部１３１は、ステップＳ３０１で受信された稼働情報を、当該稼働情報と共に受信された照明識別情報に対応付けて、照明情報格納部１１１に蓄積する。
【０１５２】
（ステップＳ３０３）報償処理部１３２は、ステップＳ３０１で稼働情報と共に受信された端末識別子と対になるユーザ識別子に関し、報償処理を行い、報償情報を取得する。
【０１５３】
（ステップＳ３０４）蓄積部１３１は、ステップＳ３０３で取得された報償情報を当該ユーザ識別子に対応付けて端末情報格納部１１２に蓄積する。なお、取得された報償情報は、例えば、送信部１４によって、当該端末識別子で識別される端末装置２に送信されてもよい。その後、ステップＳ３０１に戻る。
【０１５４】
（ステップＳ３０５）処理部１３は、情報取得装置３への指示の送信を行うか否かを判断する。例えば、格納部１１に第一タイミング情報が格納されており、処理部１３は、内蔵時計等から取得される現在時刻情報が第一タイミング情報の示すタイミングである場合に、情報取得装置３への指示の送信を行うと判断する。情報取得装置３への指示の送信を行う場合はステップＳ３０５に進み、行わない場合はステップＳ３０８に進む。
【０１５５】
（ステップＳ３０６）送信部１４は、情報取得装置３に指示を送信する。
【０１５６】
（ステップＳ３０７）処理部１３は、受信部１２が稼働情報を照明識別情報と共に受信したか否かを判別する。受信部１２が稼働情報を照明識別情報と共に受信した場合はステップＳ３０７に進み、受信していない場合はステップＳ３０６に戻る。
【０１５７】
（ステップＳ３０８）蓄積部１３１は、ステップＳ３０６で受信された稼働情報を、当該稼働情報と共に受信された照明識別情報に対応付けて、照明情報格納部１１１に蓄積する。その後、ステップＳ３０１に戻る。
【０１５８】
（ステップＳ３０９）処理部１３は、統計処理結果の取得を行うか否かを判断する。例えば、格納部１１に第二タイミング情報が格納されており、処理部１３は、内蔵時計等から取得される現在時刻情報が第二タイミング情報の示すタイミングである場合に、統計処理結果の取得を行うと判断する。または、処理部１３は、例えば、ステップＳ３０２またはＳ３０７で稼働情報が蓄積されたことに応じて、統計処理結果の取得を行うと判断してもよい。統計処理結果の取得を行う場合はステップＳ３１０に進み、行わない場合はステップＳ３０１に戻る。
【０１５９】
（ステップＳ３１０）統計処理部１３３は、照明情報格納部１１１に格納されている１以上の稼働情報を統計処理し、統計処理結果を取得する。取得される統計処理結果は、例えば、稼働率情報、電力量情報、電気代情報などである。
【０１６０】
（ステップＳ３１１）出力部１５は、ステップＳ３０９で取得された統計処理結果を出力する。出力は、例えば、ディスプレイへの表示であるが、格納部１１への蓄積でもよいし、端末装置２への送信でも構わない。その後、ステップＳ３０１に戻る。
【０１６１】
なお、図３のフローチャートにおいて、サーバ装置１の電源オンやプログラムの起動に応じて処理が開始し、電源オフや処理終了の割り込みにより処理は終了する。ただし、処理の開始または終了のトリガは問わない。
【０１６２】
以下、本実施の形態における情報システムの具体的な動作例について説明する。なお、以下の説明は、種々の変更が可能であり、本発明の範囲を何ら制限するものではない。
【０１６３】
本例の情報システムは、サーバ装置１、２以上の端末装置２、２以上の情報取得装置３、および４以上の照明４を備える。サーバ装置１は、インターネット等のネットワークまたは通信回線を介して、２以上の端末装置２および２以上の情報取得装置３の各々と通信可能に接続される。
【０１６４】
４以上の照明４のうち、一の照明４（以下、照明４Ｘと記す場合がある）は、ユーザＸの自宅のキッチンに設けられたスマート照明である。２以上の端末装置２のうち一の端末装置２（以下、端末装置２Ｘ）は、ユーザＸの携帯端末である。端末装置２Ｘは、照明４Ｘと、Ｂｌｕｅｔｏｏｔｈ等の近距離無線により通信可能である。
【０１６５】
４以上の照明４のうち、他の２つの各照明４（以下、照明４Ａ１および照明４Ａ２）は、ある工場内のＡ商品の生産ライン（以下、Ａライン）に設けられたスマート照明である。なお、照明４Ａ１は、Ａラインの一部に設けられ、照明４Ａ２は、Ａラインの他の一部に設けられている。
【０１６６】
２以上の情報取得装置３のうち、一の情報取得装置３（以下、情報取得装置３Ａ）は、Ａラインに設けられた無線ＬＡＮアクセスポイントである。情報取得装置３Ａは、２つの照明４Ａ１および４Ａ２と無線ＬＡＮを介して通信可能である。
【０１６７】
４以上の照明４のうち、その他の照明４（以下、照明４Ｂ）は、上記工場内のＢ商品の生産ライン（以下、Ｂライン）に設けられたスマート照明である。２以上の情報取得装置３のうち、他の情報取得装置３（以下、情報取得装置３Ｂ）は、Ｂラインに設けられた無線ＬＡＮアクセスポイントである。情報取得装置３Ｂは、照明４Ｂと無線ＬＡＮを介して通信可能である。
【０１６８】
サーバ装置１の照明情報格納部１１１には、例えば、図４に示すような２以上の照明情報が格納され得る。図４は、照明情報のデータ構造図である。照明情報は、照明識別情報、場所属性情報、１または２以上の稼働情報、統計処理結果などを有する。稼働情報は、状態情報と時刻情報との組である。統計処理結果は、電気代情報、および稼働率情報を含む。なお、照明情報は、通常、図示しない電力情報、および図示しない価格情報も有するが、かかる情報は有さなくてもよい。
【０１６９】
照明情報格納部１１１に格納される２以上の各照明情報は、ＩＤ（例えば、“１”，“２”等）に対応付いている。例えば、ＩＤ“１”に対応付いた照明情報（以下、照明情報１と記す場合がある）は、照明識別情報“ｘｘｘ”、場所属性情報“家屋”、４つの稼働情報“（ＯＮ，２０１８年１１月１０日０６：３０），（ＯＦＦ，０８：００），（ＯＮ，１９：３０），（ＯＦＦ，２３：００）”、統計処理結果“電気代２０円／日，稼働率２１％”などを有する。なお、照明情報１は、通常、電力情報“αワット”、および電力価格情報“ｐ円／ワットアワー”も有する。
【０１７０】
また、ＩＤ“２”に対応付いた照明情報（照明情報２）は、照明識別情報“ａａａ１”、場所属性情報“工場，Ａライン”、４つの稼働情報“（ＯＮ，２０１８年１１月１０日０９：００），（ＯＦＦ，１２：００），（ＯＮ，１３：００），（ＯＦＦ，１８：００）”、統計処理結果“電気代１０００円／日，稼働率３３％”などを有する。なお、照明情報２は、通常、電力情報“βワット”、および電力価格情報“ｑ円／ワットアワー”も有する。
【０１７１】
同様に、照明情報３は、照明識別情報“ａａａ２”、場所属性情報“工場，Ａライン”、２つの稼働情報“（ＯＮ，２０１８年１１月１０日１２：００），（ＯＦＦ，１８：００）”、統計処理結果“電気代７５０円／日，稼働率２５％”などを有する。なお、照明情報３は、通常、電力情報“βワット”、および電力価格情報“ｑ円／ワットアワー”も有する。
【０１７２】
さらに、照明情報４は、照明識別情報“ｂｂｂ”、場所属性情報“工場，Ｂライン”、４以上の稼働情報“（ＯＮ，２０１８年１１月１０日０１：００），（ＯＦＦ，０４：００），（ＯＮ，０４：１０）・・・（ＯＦＦ，２３：００）”、統計処理結果“電気代２０００円／日，稼働率７５％”などを有する。なお、照明情報４は、通常、電力情報“γワット”、および電力価格情報“ｑ円／ワットアワー”も有する。
【０１７３】
なお、図示は省略しているが、照明情報５は、照明識別情報“ｙｙｙ”、場所属性情報“家屋”、２つの稼働情報“（ＯＮ，２０１８年１１月１０日１８：３０），（ＯＦＦ，２２：００）”、統計処理結果“電気代１０円／日，稼働率１０％”などを有する。なお、照明情報５は、通常、電力情報“αワット”、および電力価格情報“ｐ円／ワットアワー”も有する。
【０１７４】
また、端末情報格納部１１２には、例えば、図５に示すような１以上の端末情報が格納され得る。図５は、端末情報のデータ構造図である。端末情報は、ユーザ識別子、および報償情報などを有する。なお、本例でのユーザ識別子は、端末識別子も兼ねる。端末情報格納部１１２に格納される１以上の各端末情報は、ＩＤ（例えば、“１”，“２”等）に対応付いている。
【０１７５】
例えば、ＩＤ“１”に対応付いた端末情報（以下、端末情報１と記す場合がある）は、ユーザ識別子“Ｘ”、および１または２以上の報償情報“（＋５ポイント，２０１８年１１月９日），（＋５ポイント，２０１８年１１月１０日）・・・”などを有する。
【０１７６】
なお、図示は省略しているが、ＩＤ“２”に対応付いた端末情報（端末情報２）は、ユーザ識別子“Ｙ”、および報償情報“８００円”などを有する。なお、ここでの報償情報は、累計報償情報である。
【０１７７】
さらに、格納部１１には、第一タイミング情報“１０分毎”、第二タイミング情報“毎日２３時５９分”、および報償基準“１日当たり、２回以上、稼働情報の取得および送信を行った場合に、５ポイントを付与する”が格納されている。
【０１７８】
端末装置２Ｘの端末格納部２１には、ユーザ識別子“Ｘ”などが格納されている。
【０１７９】
情報取得装置３Ａの取得格納部３１には、２つの照明識別情報“ａａａ１”および“ａａａ２”などが格納されている。また、この取得格納部３１には、照明識別情報“ａａａ１”に対応付けて、４つの稼働情報“（ＯＮ，２０１８年１１月１０日０９：００），（ＯＦＦ，１２：００），（ＯＮ，１３：００），（ＯＦＦ，１８：００）”も格納され得る。さらに、取得格納部３１には、照明識別情報“ａａａ２”に対応付けて、２つの稼働情報“（ＯＮ，２０１８年１１月１０日１３：００），（ＯＦＦ，１８：００）”も格納され得る。
【０１８０】
情報取得装置３Ｂの取得格納部３１には、１以上の照明識別情報“ｂｂｂ”などが格納されている。また、この取得格納部３１には、１以上の稼働情報“（ＯＮ，２０１８年１１月１０日０１：００），（ＯＦＦ，０４：００），（ＯＮ，０４：１０）・・・（ＯＦＦ，２３：００）”も格納され得る。
【０１８１】
照明４Ｘの照明格納部４１には、照明識別情報“ｘｘｘ”、および電力“αワット”などが格納されている。照明４Ａ１の照明格納部４１には、照明識別情報“ａａａ１”、および電力“βワット”などが格納されている。照明４Ａ２の照明格納部４１には、照明識別情報“ａａａ２”、および電力“βワット”などが格納されている。照明４Ｂの照明格納部４１には、照明識別情報“ｂｂｂ”、および電力“γワット”などが格納されている。
【０１８２】
現在時刻は、２０１８年１１月１０日０１：００である。この時点では、サーバ装置１の照明情報格納部１１１、情報取得装置３Ａの取得格納部３１、および情報取得装置３Ｂの取得格納部３１のいずれにも、稼働情報は格納されていない。照明情報格納部１１１には、未だ統計処理結果も格納されておらず、照明識別情報および場所属性情報と、図示しない電力情報および図示しない電力価格情報とが格納されている。端末情報格納部１１２には、図５に示した２つの報償情報のうち、１つ目の報償情報“＋５ポイント，２０１８年１１月９日”のみが格納されている。
【０１８３】
いま、Ｂラインの照明４Ｂに向けて、リモコンからＯＮの命令が送信されたとする。照明４Ｂにおいて、照明受信部４２が上記命令を受信し、発光部４０の状態は、消灯状態から発光状態に変化する。照明処理部４３は、かかる状態変化に応じて、稼働情報“（ＯＮ，２０１８年１１月１０日０１：００）を取得し、照明送信部４４は、取得された稼働情報を情報取得装置３Ｂに送信する。
【０１８４】
情報取得装置３Ｂにおいて、取得受信部３２が上記稼働情報を受信し、取得処理部３３は、受信された稼働情報を取得格納部３１に蓄積する。
【０１８５】
サーバ装置１において、処理部１３は、前回指示を送信した時刻（例えば、“２０１８年１１月１０日００：５５”）を保持しており、当該時刻と、内蔵時計等から取得される現在時刻情報と、第一タイミング情報“１０分ごと”とを用いて、指示の送信を行うか否かの判断を行っている。
【０１８６】
現在時刻が０１：０５になると、処理部１３は、指示の送信を行うと判断し、送信部１４は、２以上の各情報取得装置（３Ａ，３Ｂ）に指示を送信する。
【０１８７】
情報取得装置３Ｂにおいて、取得受信部３２が上記指示を受信し、取得送信部３４は、取得格納部３１に格納されている稼働情報“（ＯＮ，２０１８年１１月１０日０１：００）”を照明識別情報“ｂｂｂ”と共にサーバ装置１に送信する。なお、情報取得装置３Ａにおいても上記指示が受信されるが、未だ稼働情報は格納されておらず、稼働情報等の送信は行われない。
【０１８８】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ｂｂｂ”に対応付けて、１つ目の稼働情報“（ＯＮ，２０１８年１１月１０日０１：００）”が格納される結果となる。
【０１８９】
現在時刻が０４：００になり、照明４ＢにＯＦＦの命令が送信されたとする。照明４Ｂにおいて、照明受信部４２が上記命令を受信し、発光部４０の状態は、発光状態から消灯状態に変化する。照明処理部４３は、かかる状態変化に応じて、稼働情報“（ＯＦＦ，０４：００）を取得し、照明送信部４４は、取得された稼働情報を情報取得装置３Ｂに送信する。情報取得装置３Ｂにおいて、上記稼働情報が受信され、取得格納部３１に蓄積される。
【０１９０】
現在時刻が０４：０５になると、サーバ装置１から２以上の各情報取得装置（３Ａ，３Ｂ）に指示が送信される。情報取得装置３Ｂにおいて、格納されている２つの稼働情報のうち未送信の稼働情報“（ＯＦＦ，０４：００）が、照明識別情報“ｂｂｂ”と共にサーバ装置１に送信される。情報取得装置３Ａからは、稼働情報等の送信は行われない。
【０１９１】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ｂｂｂ”に対応付けて、２つ目の稼働情報“（ＯＦＦ，０４：００）”が格納される結果となる。
【０１９２】
現在時刻が０４：１０になり、照明４ＢにＯＮの命令が送信されたとする。照明４Ｂにおいて、上記命令が受信され、発光部４０の状態が消灯状態から点灯状態に変化する。これに応じて、稼働情報“（ＯＮ，０４：１０）が取得され、情報取得装置３Ｂに送信される。情報取得装置３Ｂにおいて、上記稼働情報が受信され、取得格納部３１に蓄積される。
【０１９３】
現在時刻が０４：１５になると、サーバ装置１から２以上の各情報取得装置（３Ａ，３Ｂ）に指示が送信される。情報取得装置３Ｂにおいて、格納されている３つの稼働情報のうち未送信の稼働情報“（ＯＮ，０４：１０）が、照明識別情報“ｂｂｂ”と共にサーバ装置１に送信される。情報取得装置３Ａからは、稼働情報等の送信は行われない。
【０１９４】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ｂｂｂ”に対応付けて、３つ目の稼働情報“（ＯＮ，０４：１０）”が格納される結果となる。
【０１９５】
以降も、照明４Ｂのオフまたはオンに応じて上記と同様の動作が行われ、照明情報格納部１１１には、照明識別情報“ｂｂｂ”に対応付けて、４つ目以降の稼働情報が格納されていく。
【０１９６】
現在時刻が０６：３０になると、ユーザＸは、端末装置２Ｘを操作して、キッチンの照明４Ｘをオンする。詳しくは、端末装置２Ｘにおいて、端末受付部２２が照明４Ｘに対するＯＮの命令を受け付け、端末送信部２３は、受け付けられた命令を照明４Ｘに送信する一方、当該命令に対応する稼働情報“（ＯＮ，２０１８年１１月１０日０６：３０）”を、端末格納部２１に格納されている照明識別情報“ｘｘｘ”と共にサーバ装置１に送信する。
【０１９７】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ｘｘｘ”に対応付けて、１つ目の稼働情報“（ＯＮ，２０１８年１１月１０日０６：３０）”が格納される結果となる。
【０１９８】
現在時刻が０８：００になると、端末装置２Ｘを介してキッチンの照明４Ｘがオフされる。詳しくは、端末装置２Ｘにおいて、端末受付部２２が照明４Ｘに対するＯＦＦの命令を受け付け、端末送信部２３は、受け付けられた命令を照明４Ｘに送信する一方、当該命令に対応する稼働情報“（ＯＦＦ，０８：００）”を照明識別情報“ｘｘｘ”と共にサーバ装置１に送信する。
【０１９９】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ｘｘｘ”に対応付けて、２つ目の稼働情報“（ＯＦＦ，０８：００）”が格納される結果となる。
【０２００】
以降も、端末装置２Ｘを介した照明４Ｘのオンまたはオフに応じて、上記と同様動作が行われ、照明情報格納部１１１には、照明識別情報“ｘｘｘ”に対応付けて、３つ目以降の稼働情報が格納されていく。
【０２０１】
現在時刻が９：００となり、Ａラインの照明４Ａ１に向けて、リモコンからＯＮの命令が送信されたとする。照明４Ａ１において、照明受信部４２が上記命令を受信し、発光部４０の状態が消灯状態から発光状態に変化すると、照明処理部４３は、稼働情報“（ＯＮ，２０１８年１１月１０日０９：００）を取得し、照明送信部４４は、取得された稼働情報を情報取得装置３Ａに送信する。
【０２０２】
情報取得装置３Ａにおいて、取得受信部３２が上記稼働情報を受信し、取得処理部３３は、受信された稼働情報を取得格納部３１に蓄積する。
【０２０３】
現在時刻が０９：０５になると、サーバ装置１の送信部１４は、２以上の各情報取得装置（３Ａ，３Ｂ）に指示を送信する。情報取得装置３Ａにおいて、取得受信部３２が上記指示を受信し、取得送信部３４は、取得格納部３１に格納されている稼働情報“（ＯＮ，２０１８年１１月１０日０９：００）”を照明識別情報“ａａａ１”と共にサーバ装置１に送信する。なお、情報取得装置３Ｂにおいても上記指示が受信され、未送信の稼働情報が格納されていれば、当該稼働情報等の送信が行われる。
【０２０４】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ａａａ１”に対応付けて、１つ目の稼働情報“（ＯＮ，２０１８年１１月１０日０９：００）”が格納される結果となる。
【０２０５】
現在時刻が１２：００になり、照明４Ａ１にＯＦＦの命令が送信されたとする。照明４Ａ１において、上記命令が受信され、発光部４０の状態が発光状態から消灯状態に変化すると、稼働情報“（ＯＦＦ，１２：００）が取得される。取得された稼働情報は、情報取得装置３Ａに送信され、情報取得装置３Ａの取得格納部３１に蓄積される。
【０２０６】
現在時刻が１２：０５になると、サーバ装置１から２以上の各情報取得装置（３Ａ，３Ｂ）に指示が送信される。情報取得装置３Ａにおいて、格納されている２つの稼働情報のうち未送信の稼働情報“（ＯＦＦ，１２：００）が、照明識別情報“ａａａ１”と共にサーバ装置１に送信される。情報取得装置３Ｂからも、稼働情報等の送信が行われてもよい。
【０２０７】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ａａａ１”に対応付けて、２つ目の稼働情報“（ＯＦＦ，１２：００）”が格納される結果となる。
【０２０８】
以降も、照明４Ａ１のオフまたはオンに応じて上記と同様の動作が行われ、照明情報格納部１１１には、照明識別情報“ａａａ１”に対応付けて、３つ目以降の稼働情報が格納されていく。
【０２０９】
現在時刻が１２：００になったとき、Ａラインの照明４Ａ２に向けてＯＮの命令が送信されたとする。照明４Ａ２において、照明受信部４２が上記命令を受信し、発光部４０の状態が消灯状態から発光状態に変化すると、照明処理部４３は、稼働情報“（ＯＮ，２０１８年１１月１０日１２：００）を取得し、照明送信部４４は、取得された稼働情報を情報取得装置３Ａに送信する。
【０２１０】
情報取得装置３Ａにおいて、取得受信部３２が上記稼働情報を受信し、取得処理部３３は、受信された稼働情報を取得格納部３１に蓄積する。現在時刻が１２：０５になったとき、取得送信部３４は、取得格納部３１に格納されている稼働情報“（ＯＮ，２０１８年１１月１０日１２：００）”を照明識別情報“ａａａ２”と共にサーバ装置１に送信する。
【０２１１】
サーバ装置１において、受信部１２が上記稼働情報を照明識別情報と共に受信し、蓄積部１３１は、受信された稼働情報を照明識別情報に対応付けて照明情報格納部１１１に蓄積する。これにより、照明情報格納部１１１には、照明識別情報“ａａａ２”に対応付けて、１つ目の稼働情報“（ＯＮ，２０１８年１１月１０日１２：００）”が格納される結果となる。
【０２１２】
その後、照明４Ａ２のオフに応じて上記と同様の動作が行われ、照明情報格納部１１１には、照明識別情報“ａａａ２”に対応付けて、２つ目の稼働情報が格納される。こうして、格納部１１には、図４に示した２以上の稼働情報が格納される結果となる。
【０２１３】
サーバ装置１において、処理部１３は、内蔵時計等から取得される現在時刻情報と、第二タイミング情報“毎日２３時５９分”とを用いて、統計処理結果の取得を行うか否かの判断を行っている。
【０２１４】
現在時刻が２３:５９になると、統計処理部１３３は、照明情報格納部１１１に格納されている２以上の稼働情報を統計処理した統計処理結果を取得する。
【０２１５】
詳しくは、統計処理部１３３は、例えば、照明識別情報“ｘｘｘ”に対応付けて格納されている４つの稼働情報“（ＯＮ，２０１８年１１月１０日０６：３０），（ＯＦＦ，０８：００），（ＯＮ，１９：３０），（ＯＦＦ，２３：００）”を統計処理し、統計処理結果“電気代２０円／日，稼働率２１％”など取得する。なお、稼働率２１％は、２０１８年１１月１０日に照明４Ｘが点灯していた時間（一日の使用時間）“５時間”を一日“２４時間”で除算した結果である。また、電気代２０円／日は、電力情報“αワット”と、電力価格情報“ｐ円／ワットアワー”と、使用時間“５時間”との積である。
【０２１６】
また、統計処理部１３３は、照明識別情報“ａａａ１”に対応付けて格納されている４つの稼働情報“（ＯＮ，２０１８年１１月１０日０９：００），（ＯＦＦ，１２：００），（ＯＮ，１３：００），（ＯＦＦ，１８：００）”を統計処理し、統計処理結果“電気代１０００円／日，稼働率３３％”などを取得する。なお、稼働率３３％は、２０１８年１１月１０日に照明４Ａが点灯していた時間“８時間”を“２４時間”で除算した結果である。また、電気代１０００円／日は、電力情報“βワット”と、電力価格情報“ｑ円／ワットアワー”と、使用時間“８時間”との積である。
【０２１７】
同様に、照明識別情報“ａａａ２”に対応付けて格納されている２つの稼働情報“（ＯＮ，２０１８年１１月１０日１２：００），（ＯＦＦ，１８：００）”が統計処理され、統計処理結果“電気代７５０円／日，稼働率２５％”なども取得される。
【０２１８】
さらに、統計処理部１３３は、照明識別情報“ｂｂｂ”に対応付けて格納されている２以上の稼働情報“（ＯＮ，２０１８年１１月１０日０１：００），（ＯＦＦ，０４：００），（ＯＮ，０４：１０）・・・（ＯＦＦ，２３：００）”を統計処理し、統計処理結果“電気代２０００円／日，稼働率７５％”など取得する。なお、稼働率７５％は、２０１８年１１月１０日に照明４Ａが点灯していた時間“１８時間”を“２４時間”で除算した結果である。また、電気代２０００円／日は、電力情報“γワット”と、電力価格情報“ｑ円／ワットアワー”と、使用時間“１８時間”との積である。
【０２１９】
また、報償処理部１３２は、照明情報格納部１１１に格納されている４以上の照明情報のうち、ユーザＸから提供された稼働情報を含む照明情報１を基に、ユーザＸに対する報償処理を行う。詳しくは、報償処理部１３２は、照明識別情報“ｘｘｘ”に対応付けて格納されている上記４つの稼働情報と、報償基準“１日当たり、２回以上、稼働情報の取得および送信を行った場合に、５ポイントを付与する”とを用いて、ユーザＸに対する報償情報“＋５ポイント，２０１８年１０月１０日”を取得する。取得された報償情報は、端末情報格納部１１２に、ユーザ識別子“Ｘ”に対応付けて蓄積される。こうして、端末情報格納部１１２には、図５に示した、ユーザ識別子“Ｘ”と２以上の報償情報とを有する端末情報１が格納される結果となる。
【０２２０】
なお、例えば、上記２つ目の報償情報“＋５ポイント，２０１８年１０月１０日”が蓄積されたことに応じて、報償処理部１３２は、端末情報格納部１１２に格納されている２つの報償情報を用いて累計報償情報を取得してもよい。累計報償情報とは、格納されている１または２以上の各報償情報が示す報償を累計した結果である。累計報償情報は、例えば、“累計１０ポイント”等であるが、その表現形式は問わない。出力部１５は、例えば、格納されている２つの報償情報を、取得された累計報償情報と共に、ユーザＸの端末装置２Ｘに送信してもよい。
【０２２１】
端末装置２Ｘにおいて、端末受信部２４が上記２つの報償情報を上記累計報償情報と共に受信し、端末出力部２５は、受信された２つの報償情報および受信された累計報償情報とを、ディスプレイ等の出力デバイスを介して出力する。これにより、ディスプレイには、例えば、図６に示すような画面が表示される。
【０２２２】
図６は、報償情報を含む画面の例を示す図である。この画面には、１つ目の報償情報に対応する文字列“２０１８年１１月９日  ＋５ポイント”と、２つ目の報償情報に対応する文字列“２０１８年１１月１０日  ＋５ポイント”と、累計報償情報に対応する文字列“累計１０ポイント”とを有する。
【０２２３】
なお、詳しい説明は省略するが、報償処理部１３２は、ユーザＹから提供された稼働情報を含む照明情報５（図示しない）を基に、ユーザＹに対する報償処理も行い、それによって、端末情報格納部１１２には、ユーザ識別子“Ｙ”、および報償情報“８００円”などを有する端末情報２（図示しない）も格納される。報償情報“８００円”は、ユーザＹの端末装置２Ｙに送信され、端末装置２Ｙのディスプレイに表示される。
【０２２４】
なお、本例においては、統計処理部１３３が電気代の算出を行ったが、電気代取得部１３４がこれを行ってもよい。
【０２２５】
また、本例においては、照明４のオンまたはオフに応じて、フラグ“ＯＮ”または“ＯＦＦ”と、オンまたはオフされた時刻を示す時刻情報とを有する稼働情報が取得されたが、電源４の明るさの変化に応じて、変化後の明るさまたはそれに対応する電力を示す情報と、明るさが変化した時刻を示す時刻情報とを有する稼働情報が取得されてもよい。
【０２２６】
以上、本実施の形態によれば、サーバ装置１は、１または２以上の各照明４の稼働に関する稼働情報を、照明４を識別する照明識別情報と共に受信し、受信した稼働情報を、稼働情報と共に受信した照明識別情報に対応付けて照明情報格納部１１１に蓄積し、照明情報格納部１１１に格納されている１または２以上の稼働情報を利用した処理を行うことにより、１または２以上の照明４の稼働情報を利用した処理を行えるサーバ装置１が実現される。
【０２２７】
また、サーバ装置１は、照明４と通信した端末装置２から、照明４の稼働に関する稼働情報を、照明４を識別する照明識別情報と共に受信する。こうして、照明４と通信した端末装置２が送信する稼働情報を受信し、蓄積することにより、１または２以上の照明４の稼働情報を利用した処理を行える。
【０２２８】
また、サーバ装置１は、稼働情報と照明識別情報を送信した端末装置２のユーザに報償を与えるための報償処理を行う。こうして、照明４の稼働情報を送信した端末装置２のユーザに報償を与えることで、ユーザの協力が得られ易くなり、稼働情報の着実な蓄積が期待できる。従って、照明４に関する情報を取得する情報取得装置３を用いることなく、より低コストで、１または２以上の照明４の稼働情報を利用した処理を行える。
【０２２９】
また、サーバ装置１は、照明４に関する情報を取得する情報取得装置３から、照明４の稼働に関する稼働情報を、照明４を識別する照明識別情報と共に受信する。こうして、情報取得装置３から稼働情報を受信することで、より着実に、稼働情報が蓄積され、１または２以上の照明４の稼働情報を利用した処理を行える。
【０２３０】
また、サーバ装置１は、情報取得装置３に指示を送信し、指示の送信に応じて、情報取得装置３から稼働情報と照明識別情報を受信することにより、処理に用いる稼働情報を所望のタイミングで受信できる。
【０２３１】
また、サーバ装置１は、１以上の稼働情報を統計処理した統計処理結果を取得し、統計処理結果を出力する。従って、１以上の照明４の稼働情報の統計処理結果を取得し、出力するサーバ装置１を提供できる。
【０２３２】
また、照明情報格納部１１１には、照明４が設置されている場所の属性を示す場所属性情報が、照明識別情報に対応付けてさらに格納されており、サーバ装置１は、１以上の稼働情報を、場所属性情報が示す場所の属性ごとに統計処理した１以上の統計処理結果を取得する。従って、１以上の照明４の稼働情報の、場所の属性ごとの統計処理果を取得し、出力できる。
【０２３３】
また、統計処理結果は、照明４の経済状況に関する情報であることにより、サーバ装置１は、１以上の照明４の、経済状況に関する情報を取得し、出力できる。
【０２３４】
また、サーバ装置１は、１以上の各稼働情報を用いて、１以上の各照明４の電気代に関する電気代情報を取得する。従って、１以上の各照明４の電気代に関する情報を取得し、出力できる。
【０２３５】
また、サーバ装置１は、１以上の各稼働情報を用いて、１以上の各照明４が設置されている場所の見守りに関する見守り処理を行い、見守り情報を取得する。従って、１以上の各照明４の、設置場所の見守りに関する情報を取得し、出力できる。
【０２３６】
また、サーバ装置１は、１以上の各稼働情報を用いて、１以上の各照明４の故障の診断に関する診断処理を行い、故障診断情報を取得する。従って、１以上の各照明４の故障診断に関する情報を取得し、出力できる。
【０２３７】
また、端末装置２は、照明４との通信により当該照明４の稼働に関する稼働情報を取得し、稼働情報を、照明を識別する照明識別情報と共に、サーバ装置１に送信することにより、サーバ装置１は、１以上の照明の稼働情報を利用した処理を行える。
【０２３８】
また、情報取得装置３は、サーバ装置１から指示を受信し、指示に応じて、照明４から当該照明４の稼働に関する稼働情報を取得し、稼働情報を、照明４を識別する照明識別情報と共にサーバ装置１に送信することで、サーバ装置は、１以上の照明の稼働情報を利用した処理を行える。
【０２３９】
また、照明４は、発光部２０の状態が変化した場合に、当該変化後の状態を示す情報を有する稼働情報を取得し、稼働情報を、当該照明４を識別する照明識別情報と共に送信することにより、サーバ装置１は、照明４から直に、もしくは端末装置２または情報取得装置３を介して、稼働情報と照明識別情報を受信し、１以上の照明４の稼働情報を利用した処理を行える。
【０２４０】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。
【０２４１】
なお、本実施の形態におけるサーバ装置１を実現するソフトウェアは、例えば、以下のようなプログラムである。
【０２４２】
つまり、コンピュータがアクセス可能な記録媒体は、照明４に関する情報を格納し得る照明情報格納部１１１を具備し、このプログラムは、前記コンピュータを、１または２以上の各照明４の稼働に関する稼働情報を、当該照明４を識別する照明識別情報と共に受信する受信部１２と、前記受信部１２が受信した稼働情報を、当該稼働情報と共に受信した照明識別情報に対応付けて前記照明情報格納部１１１に蓄積する蓄積部１３１と、前記照明情報格納部１１１に格納されている１または２以上の稼働情報を利用した処理を行う処理部１３として機能させるためのプログラムである。
【０２４３】
また、端末装置２を実現するソフトウェアは、例えば、以下のようなプログラムである。つまり、このプログラムは、コンピュータを、照明４との通信により当該照明４の稼働に関する稼働情報を取得する端末処理部２６と、前記稼働情報を、前記照明４を識別する照明識別情報と共に、サーバ装置１に送信する端末送信部２３として機能させるためのプログラムである。
【０２４４】
また、情報取得装置３を実現するソフトウェアは、例えば、以下のようなプログラムである。つまり、このプログラムは、照明４に関する情報を取得する情報取得装置３のコンピュータを、サーバ装置１から指示を受信する取得受信部３２と、前記指示に応じて、前記照明４から当該照明４の稼働に関する稼働情報を取得する取得処理部と３３、前記稼働情報を、前記照明４を識別する照明識別情報と共に前記サーバ装置１に送信する取得送信部３４として機能させるためのプログラムである。
【０２４５】
さらに、照明４を実現するソフトウェアは、例えば、以下のようなプログラムである。つまり、このプログラムは、光を発する発光部４０を有する照明４のコンピュータを、前記発光部４０の状態が変化した場合に、当該変化後の状態を示す情報を有する稼働情報を取得する照明処理部４３と、前記稼働情報を、当該照明４を識別する照明識別情報と共に送信する照明送信部４４として機能させるためのプログラムである。
【０２４６】
図７は、本実施の形態におけるプログラムを実行して、サーバ装置１等を実現するコンピュータシステム９００の外観図である。本実施の形態は、コンピュータハードウェアおよびその上で実行されるコンピュータプログラムによって実現され得る。図７において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０２４７】
図８は、コンピュータシステム９００の内部構成の一例を示す図である。図８において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０２４８】
コンピュータシステム９００に、サーバ装置１等の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０２４９】
プログラムは、コンピュータの詳細を示す９０１に、サーバ装置１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２５０】
なお、上述したコンピュータシステム９００は、サーバまたは据え置き型のＰＣであるが、端末装置２は、例えば、スマートフォンやタブレット端末やノートＰＣといった、携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられることが望ましい。情報取得装置３や、照明４のＩＣチップも、基本的なハードウェア構成は、ＰＣや携帯端末と同様でよい。ただし、以上は例示であり、サーバ装置１等を実現するコンピュータのハードウェア構成は問わない。
【０２５１】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２５２】
また、上記プログラムを実行するコンピュータは、単数であってもよく、複数であってもよい。すなわち、集中処理を行ってもよく、あるいは分散処理を行ってもよい。
【０２５３】
また、上記各実施の形態において、一の装置に存在する２以上の通信手段（送信部１４、受信部１２など）は、物理的に一の媒体で実現されても良いことは言うまでもない。
【０２５４】
また、上記各実施の形態において、各処理（各機能）は、単一の装置（システム）によって集中処理されることによって実現されてもよく、あるいは、複数の装置によって分散処理されることによって実現されてもよい。
【０２５５】
本発明は、以上の実施の形態に限定されることなく、種々の変更が可能であり、それらも本発明の範囲内に包含されるものであることは言うまでもない。
【産業上の利用可能性】
【０２５６】
以上のように、本発明にかかるサーバ装置は、１または２以上の照明の稼働情報を利用した処理を行えるという効果を有し、サーバ装置等として有用である。
【符号の説明】
【０２５７】
１  サーバ装置
２  端末装置
３  情報取得装置
４  照明
１１  格納部
１２  受信部
１３  処理部
１４  送信部
１５  出力部
２１  端末格納部
２２  端末受付部
２３  端末送信部
２４  端末受信部
２５  端末出力部
２６  端末処理部
３１  取得格納部
３２  取得受信部
３３  取得処理部
３４  取得送信部
４０  発光部
４１  照明格納部
４２  照明受信部
４３  照明処理部
４４  照明送信部
１１１  照明情報格納部
１１２  端末情報格納部
１３１  蓄積部
１３２  報償処理部
１３３  統計処理部
１３４  電気代取得部
１３５  見守り処理部
１３６  故障診断部
【図１】
2020098485.tif 000003
【図２】
2020098485.tif 000004
【図３】
2020098485.tif 000005
【図４】
2020098485.tif 000006
【図５】
2020098485.tif 000007
【図６】
2020098485.tif 000008
【図７】
2020098485.tif 000009
【図８】
2020098485.tif 000010